【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
ディスプレイと、
ユーザ入力デバイスと、
ビューポートが第１のビューポートジオメトリ空間内にビューポートジオメトリを有するときに第１のタイプのレンダリングを使用して前記ディスプレイ上に示された前記ビューポート内に少なくとも３つの次元を有する情報データセットを表示すること、
前記ビューポートが第２のビューポートジオメトリ空間内にビューポートジオメトリを有するときに、前記第１のタイプのレンダリングとは異なる第２のタイプのレンダリングを使用して前記ビューポート内に前記情報データセットを表示すること、
前記ユーザ入力デバイスを介して受信された入力に応答して前記ビューポートをサイズ変更すること、
前記第１のタイプのレンダリングを使用して前記ビューポート内に前記情報データセットを表示している間に、前記第２のビューポートジオメトリ空間内のビューポートジオメトリへの前記ビューポートのサイズ変更を検出し、これに応答して、前記第２のタイプのレンダリングを使用する前記ビューポート内の前記情報データセットの表示に移行すること、及び、
前記第２のタイプのレンダリングを使用して前記ビューポート内に前記情報データセットを表示している間に、前記第１のビューポートジオメトリ空間内のビューポートジオメトリへの前記ビューポートのサイズ変更を検出し、これに応答して、前記第１のタイプのレンダリングを使用する前記ビューポート内の前記情報データセットの表示に移行すること、
を有する動作を実行するようにプログラムされた、電子プロセッサと、
を備えた、コンピュータ。
【請求項２】
前記第１のタイプのレンダリングが、３次元（３Ｄ）レンダリングを有し、
前記第２のタイプのレンダリングが、２次元（２Ｄ）レンダリングを有する、
請求項１に記載のコンピュータ。
【請求項３】
前記第１のビューポートジオメトリ空間及び前記第２のビューポートジオメトリ空間が、
３Ｄ／２Ｄビューポートエリア移行基準、
３Ｄ／２Ｄビューポート幅基準、及び、
３Ｄ／２Ｄビューポート高さ基準
のうちの１つ又は複数を有する基準によって区別される、請求項２に記載のコンピュータ。
【請求項４】
前記２Ｄレンダリングを使用する前記ビューポート内の前記情報データセットの表示に前記移行することが、前記３Ｄレンダリングで開始する及び前記２Ｄレンダリングで終了するアニメーションを表示することを有し、
前記３Ｄレンダリングを使用する前記ビューポート内の前記情報データセットの表示に前記移行することが、前記２Ｄレンダリングで開始する及び前記３Ｄレンダリングで終了するアニメーションを表示することを有する、
請求項２又は３に記載のコンピュータ。
【請求項５】
前記第１のビューポートジオメトリ空間及び前記第２のビューポートジオメトリ空間が、前記情報データセットのサイズに依存する基準によって区別される、請求項１から４のいずれか一項に記載のコンピュータ。
【請求項６】
前記電子プロセッサが、
前記ビューポートが第３のビューポートジオメトリ空間内にビューポートジオメトリを有するときに、前記第１のタイプのレンダリングとは異なり前記第２のタイプのレンダリングとは異なる第３のタイプのレンダリングを使用して前記ビューポートにおいて前記情報データセットを表示することと、
第１のタイプのレンダリングを使用して前記ビューポート内に前記情報データセットを表示している間に、前記第３のビューポートジオメトリ空間内のビューポートジオメトリへの前記ビューポートのサイズ変更を検出し、これに応答して、前記第３のタイプのレンダリングを使用する前記ビューポート内の前記情報データセットの表示に移行することと、
前記第３のタイプのレンダリングを使用して前記ビューポート内に前記情報データセットを表示している間に、前記第１のビューポートジオメトリ空間内のビューポートジオメトリへの前記ビューポートのサイズ変更を検出し、これに応答して、前記第１のタイプのレンダリングを使用する前記ビューポート内の前記情報データセットの表示に移行することと、
をさらに有する動作を実行するようにプログラムされた、請求項１から５のいずれか一項に記載のコンピュータ。
【請求項７】
前記第３のタイプのレンダリングが、展開３Ｄレンダリングを有し、
前記第１のタイプのレンダリングが、３Ｄレンダリングを有し、
前記第２のタイプのレンダリングが、２Ｄレンダリングを有する、
請求項６に記載のコンピュータ。
【請求項８】
前記電子プロセッサは、前記第１のタイプのレンダリングを使用して前記ビューポート内に前記情報データセットの前記表示に、ユーザが前記ユーザ入力デバイスを介して作用することを可能にするようにプログラムされておらず、
前記電子プロセッサが、前記第２のタイプのレンダリングを使用する前記ビューポート内の情報データセットの前記表示に、前記ユーザが前記ユーザ入力デバイスを介して作用することを可能にするようにプログラムされていない、
請求項１から７のいずれか一項に記載のコンピュータ。
【請求項９】
前記電子プロセッサが、
前記情報データセットを出力するプロセスを実行すること
をさらに有する動作を実行するようにプログラムされた、請求項１から８のいずれか一項に記載のコンピュータ。
【請求項１０】
前記プロセスが３Ｄ画像獲得プロセスを有し、前記情報データセットが３Ｄ画像を有し、前記第１のタイプのレンダリングが３Ｄレンダリングを有し、前記第２のタイプのレンダリングが２Ｄレンダリングを有する、請求項９に記載のコンピュータ。
【請求項１１】
前記プロセスがコンピュータ支援製図（ＣＡＤ）プロセスを有し、前記情報データセットが３Ｄ  ＣＡＤ図面を有し、前記第１のタイプのレンダリングが前記３Ｄ  ＣＡＤ図面の３Ｄレンダリングを有し、前記第２のタイプのレンダリングが前記３Ｄ  ＣＡＤ図面の２Ｄレンダリングを有する、請求項９に記載のコンピュータ。
【請求項１２】
前記プロセスが統計データ分析プロセスを有し、前記情報データセットが、少なくとも３つの次元を有する統計データセットを有し、前記第１のタイプのレンダリングが前記統計データセットの３Ｄプロットを有し、前記第２のタイプのレンダリングが前記統計データセットの２Ｄプロットを有する、請求項９に記載のコンピュータ。
【請求項１３】
前記プロセスが、非一時的記憶媒体から前記情報データセットを検索することを有する、請求項９から１２のいずれか一項に記載のコンピュータ。
【請求項１４】
前記ビューポートが、前記ビューポート内に表示された内容へのユーザの作用を許さない読み取り専用ビューポートである、請求項１から１３のいずれか一項に記載のコンピュータ。
【請求項１５】
少なくとも３つの次元を有する情報データセットを出力するプロセスを実行することと、
ビューポートが３次元（３Ｄ）ビューポートジオメトリ空間内にビューポートジオメトリを有する、３Ｄレンダリングを使用してディスプレイ上に示された前記ビューポート内に前記情報データセットを表示することと、
前記３Ｄレンダリングを使用して前記ビューポート内に前記情報データセットを表示している間に、
ユーザ入力デバイスを介して受信された入力に応答して、前記サイズ変更されたビューポートジオメトリに前記ビューポートをサイズ変更し、
前記サイズ変更されたビューポートジオメトリが前記３Ｄビューポートジオメトリ空間にとどまっている場合に、前記サイズ変更されたビューポートジオメトリを収容するために、前記３Ｄレンダリングを使用する前記ビューポート内の前記情報データセットの表示を調整すること、又は、前記サイズ変更されたビューポートジオメトリが２次元（２Ｄ）ビューポートジオメトリ空間内にある場合に、２Ｄレンダリングを使用して前記ビューポート内に前記情報データセットを表示することのうちの１つを行うことと、
を有する動作を実行するために、前記ディスプレイ及び前記ユーザ入力デバイスを備えたコンピュータによって読み取り可能で実行可能な命令を記憶する、非一時的記憶媒体。